(57)【特許請求の範囲】
【請求項１】
上方及び下方に開口された警棒挿通口が形成されると共に、警棒の握り部の外周の一部に接する警棒保持面が形成されるべく、断面略円弧状に前方に張り出す収納部をベルト通しの表面上部に設け、前記収納部の上部内面側に、僅かに凹となる保持材装着部を周方向に形成し、前記保持材装着部に弾力性を有すると共に周方向に非伸縮性の保持材を固着したことを特徴とする警棒ケース。
【発明の詳細な説明】
【０００１】
【産業上の利用分野】
本発明は、例えば、警棒を上下に挿通させて保持するための警棒ケースに関する。
【０００２】
【従来の技術】
ベルト通しの表面側の警棒を挿通保持するための収納部を備えた警棒ケースが従来より広く知られている。近年、警棒の先端部が２段に伸び出す長さ調節の自在な警棒が使用されている。この長さ調節の自在な警棒を従来の警棒ケースに収納するに際しては、警棒の先端部を警棒ケースの収納部に挿入していた。しかしながら、長さ調節の自在な警棒は、長さ調節の自在な警棒の先端部の寸法よりも握り部の寸法の方がはるかに長く、このため警棒の先端部を警棒ケースの収納部に挿入しただけでは、警棒が抜けやすく、安定して保持されないという不具合があった。
【０００３】
【発明が解決しようとする課題】
本発明の目的は、警棒の握り部を収納部に挿入するだけで警棒が安定して保持され、しかも素早く上方に抜く際に、警棒を容易に抜くことができる警棒吊りを提供することにある。
【０００４】
【課題を解決するための手段】
本発明の警棒ケースは、上記課題を解決するために、上方及び下方に開口された警棒挿通口が形成されると共に、警棒の握り部の外周の一部に接する警棒保持面が形成されるべく、断面略円弧状に前方に張り出す収納部をベルト通しの表面上部に設け、前記収納部の上部内面側に、僅かに凹となる保持材装着部を周方向に形成し、前記保持材装着部に弾力性を有すると共に周方向に非伸縮性の保持材を固着したことを特徴とする。
【０００５】
【作用】
警棒ケースの上方側から、警棒の握り部を収納部の警棒挿通口に挿通すると、警棒の握り部の周面が、ベルト通しの表面に接すると共に、断面略円弧状の収納部の上部内面側の保持材装着部に固着された保持材の表面に当接し、保持材の表面が警棒の握り部周面からの押圧力により弾性変形して警棒の握り部周面に適当な摩擦力を与えることにより、警棒の握り部が収納部に保持される。また、保持材が警棒の握り部周面からの押圧力により弾性変形し、僅かに凹に形成されている保持材装着部に入り込むことにより、保持材と警棒の握り部との接触面が収納部の内面とほぼ面一となり、素早く上方に抜く際に、警棒を容易に抜きやすくする。
【０００６】
【実施例】
以下、本発明の実施例を図面を参照して説明する。
図１は、本発明の警棒ケース１の正面図であり、図２は、警棒ケース１の側面図であり、図３は、警棒ケース１の平面図であり、図４は、警棒ケース１の縦断面図である。
【０００７】
警棒ケース１は、警棒ケース１の本体を兼ねるベルト通し２と、ベルト通し２の前面に設けられた収納部３と、ベルト通し２の裏面に設けられた裏当て４と、裏当て４とベルト通し２との間に挟み込まれた保持ベルト５とを備える。なお、ベルト通し２は、革製であって、ベルトの表側に配置される表当てを兼ねる。
【０００８】
警棒を収納保持するための収納部３は、革製であって、ベルト通し２の前面側の上端縁から中間にかけて設けられており、図３に示すように平面視において中央部が断面略円弧状にベルト通し２の前方に張り出すように屈曲され、図１に示すように上下方向の両側縁寄りをベルト通し２の上下方向の両側縁寄りに縫着されると共に、収納部３の上下左右の四隅をそれぞれリベット６によりベルト通し２に固着されており、図４に示すように収納部３とベルト通し２との間が略Ｕ字型の筒状に形成されると共に、その上端並びに下端が上方並びに下方に開口されてなる警棒挿通口７，８が形成されている。
【０００９】
図４に示すように、収納部３の上部内面側には、僅かに凹となる保持材装着部９が周方向に形成されると共に、保持材装着部９には弾力性を有すると共に周方向に非伸縮性の保持材１０が縫着によって固着されている。なお、実施例では、保持材９としてその表面に一様にパイルを有する雌ベルベットクロスを使用しており、雌ベルベットクロスの縦糸を収納部３の上下方向に一致して縫着されている。このため保持材９は、保持材９への押圧力に対してはパイルが弾性変形し、上下方向の応力及び収納部３の周方向の応力に対して非伸縮性が発揮される。
【００１０】
また、図１乃至図３に示すように、収納部３の上部寄りの正面に向かって左側方の周面には、保持ベルト５の係止用のスナップボタン１１の雄側１１ａが取り付けられている。
【００１１】
図５は、警棒ケース１の裏面図であり、警棒ケース１の裏当て４は、上部裏当て４ａと下部裏当て４ｂからなる。
【００１２】
上部裏当て４ａは、図２に示すように、上下方向に沿う一端縁が下方に向くように中間部が裏面に向けて折り返されて屈曲されており、上部裏当て４ａの一端縁には、スナップボタン１２の雌側１２ｂがベルト通し２の裏面側に向けて左右の２箇所に取り付けられ、上部裏当て４ａの他端縁の裏側の右寄りが、リベット１３によりベルト通し２の裏面上部に固着され、上部裏当て４ａの他端縁の裏側の左寄りが、図３及び図４に示すように、上部裏当て４ａとベルト通し２との間に帯状の保持ベルト５の基端を挟み込んで、リベット１４によりベルト通し２の裏面上部に固着され、スナップボタン１２の雌側１２ｂが設けられている一端縁が、可撓性を有してベルト通し２の裏面から離間している。
【００１３】
下部裏当て４ｂは、図２及び図５に示すように、上下方向に沿う下端縁の左右の２箇所がリベット１５によりベルト通し２の裏面中間寄りに固着され、下部裏当て４ｂの上端縁に向けて可撓性を有してベルト通し２の裏面から離間されると共に、下部裏当て４ｂの上端縁は、上部裏当て４ａのベルト通し２側に重なるように配置されており、下部裏当て４ｂの上端縁の上部裏当て４ａとの重合面には、上部裏当て４ａに設けられたスナップボタン１２の雌側１２ｂに嵌合離脱するスナップボタン１２の雄側１２ａが左右の２箇所に取り付けられている。
【００１４】
なお、保持ベルト５は、図１に示すように、警棒ケース１の本体を兼ねるベルト通し２に対して右斜め上方に向けて設けられ、保持ベルト５の先端には、収納部３の正面に向かって左側方の周面に設けられたスナップボタン１１の雄側１１ａに嵌合離脱するスナップボタン１１の雌側１１ｂが取り付けられている。
【００１５】
次に、警棒ケース１の使用について説明する。まず、警棒ケース１を装着する際には、上部裏当て４ａと下部裏当て４ｂとを接続するスナップボタン１２，１２を外し、下部裏当て４ｂとベルト通し２の裏面との間にベルトを挟み込むようにして再び上部裏当て４ａを下部裏当て４ｂに重ね合わせてスナップボタン１２，１２を止め、ベルト通し２をベルトの表側に対して装着する。
【００１６】
なお、警棒は、その棒部の先端が筒状の警棒本体の内部に対して伸張縮小自在であって長さ調節が自在であり、図８に示すように、警棒１６の握り部１７の上部と警棒本体１８との間の外周面には、警棒１６の握り部１７よりも径大のツバ部１９が設けられ、該ツバ部１９の警棒本体１８寄りには、両側方に向けて掛止部２０，２０が突設されている。
【００１７】
警棒ケース１への警棒１６の収納に際しては、図６に示すように、警棒ケース１の上方側から、警棒１６の握り部１７の下端を収納部３の上部側の警棒挿通口７より挿入すると共に下方に向けて警棒１６を押し込んでいき、警棒１６の握り部１７の下端を下部側の警棒挿通口８より貫通させ、警棒１６を収納部３に挿通する。この際に、図７に示すように、警棒１６の握り部１７の周面が、ベルト通し２の表面に接すると共に、握り部１７の図７における左右方向の周面がそれぞれ収納部３の上部内周面に縫着された保持材１０の表面に当接し、保持材１０の表面が警棒１６の握り部１７の周面からの押圧力により弾性変形して、警棒１６の握り部１７の周面に適当な摩擦力を与えるので、警棒１６の握り部１７が収納部３に安定して保持される。
【００１８】
また、保持材１０が警棒１６の握り部１７の周面からの押圧力により弾性変形し、僅かに凹に形成されている保持材装着部９に入り込むことにより、保持材１０と警棒１６の握り部１７との接触面が収納部３の内周面とほぼ面一となる。従って、警棒１６を素早く上方に抜く際に、警棒１６が容易に抜きやすくなる。
【００１９】
なお、警棒１６を警棒ケース１の収納部３に押し込んでいくと、図６に示すように警棒１６のツバ部１９の握り部１７側の下側端面１９ａが、ベルト通し２の上端面２ａ並びに収納部３の上端面３ａに当接し、警棒１６がその握り部１７の上部まで警棒ケース１の収納部３に対して収納される。
【００２０】
また、ベルト通し２の表面上部に収納部３が設けられているため、警棒１６の握り部１７を収納部３に収納保持した状態では、収納部３から上側に位置する警棒本体１８と警棒ケース１を挿着しているベルトとの間に十分なすき間ができるので、緊急の際にも警棒１６を素早く警棒本体１８を掴むことができる。
【００２１】
また、緊急時以外の警棒１６を使用をしない時は、図９に示すように、保持ベルト５を警棒１６のツバ部１７の図８に示す右方の掛止部２０に対してたすき掛けするようにし、保持ベルト５の先端のスナップボタン１１の雌側１１ｂを収納部３の左周面に設けてあるスナップボタン１１の雄側１１ａに嵌合して抜け止めをする。
【００２２】
【発明の効果】
本発明の警棒ケースは、断面略円弧状に前方に張り出す収納部の上部内面側に、僅かに凹となる保持材装着部を周方向に形成し、保持材装着部に弾力性を有すると共に周方向に非伸縮性の保持材を固着しているので、警棒の握り部を収納部に挿通すると、警棒の握り部の周面が、ベルト通しの表面に接すると共に、握り部の周面が保持材の表面に当接し、保持材の表面が警棒の握り部の周面からの押圧力により弾性変形して、警棒の握り部の周面に適当な摩擦力が与えられ、警棒の握り部を収納部に安定して保持することができる。
【００２３】
また、保持材が警棒の握り部の周面からの押圧力により弾性変形し、僅かに凹に形成されている保持材装着部に入り込むことにより、保持材と警棒の握り部との接触面が収納部の内周面とほぼ面一となるため、警棒を素早く上方に抜く際に、警棒を容易に収納部から抜き出すことができる。
【００２４】
さらに、ベルト通しの表面上部に収納部が設けられているため、警棒の握り部を収納部に収納保持した状態では、収納部から上側に位置する警棒本体と警棒ケースを挿着しているベルトとの間に十分なすき間ができるので、緊急の際にも警棒を素早く警棒本体を掴むことができる。
【図面の簡単な説明】
【図１】本発明の実施例に係る警棒ケースの正面図
【図２】同実施例の警棒ケースの側面図
【図３】同実施例の警棒ケースの平面図
【図４】同実施例の警棒ケースの要部を示す縦断面図
【図５】同実施例の警棒ケースの背面図
【図６】警棒保持状態における警棒ケースの要部を示す縦断面図
【図７】警棒保持状態における警棒ケースの収納部の概略平面図
【図８】警棒の要部側面図
【図９】警棒保持状態における警棒ケースの側面図
【符号の説明】
１  警棒ケース
２  ベルト通し
２ａ  上端面
３  収納部
３ａ  上端面
４  裏当て
４ａ  上部裏当て
４ｂ  下部裏当て
５  保持ベルト
６  リベット
７  警棒挿通口
８  警棒挿通口
９  保持材装着部
１０  保持材
１１  スナップボタン
１１ａ  雄側
１１ｂ  雌側
１２  スナップボタン
１２ａ  雄側
１２ｂ  雌側
１３  リベット
１４  リベット
１５  リベット
１６  警棒
１７  握り部
１８  警棒本体
１９  ツバ部
１９ａ  下側端面
２０  掛止部
【図１】
0003636757.tif 000002
【図２】
0003636757.tif 000003
【図３】
0003636757.tif 000004
【図４】
0003636757.tif 000005
【図５】
0003636757.tif 000006
【図６】
0003636757.tif 000007
【図７】
0003636757.tif 000008
【図８】
0003636757.tif 000009
【図９】
0003636757.tif 000010